(57)【要約】【課題】構造を簡易にすることによってコストの低減を図る廃棄物ボックスを提供する。【解決手段】廃棄物ボックス１０１は、廃棄物の投入口１ｂａ及び廃棄物の取出口（開口部１ｄａ）を有する筐体１と、筐体１内に設けられ且つ投入された廃棄物を受け入れる段ボール箱５を支持する支持台１０と、段ボール箱５内の廃棄物の蓄積量を表示する表示装置３０と、支持台１０に設けられた弾性部材１７ａ及び１７ｂとを備える。支持台１０は、段ボール箱５がその上に載置される載置部材１１と、載置部材１１を支持するベース部材１２と、ベース部材１２に載置部材１１を上下方向に移動可能に連結するリンク部材１３及び１４とを有する。弾性部材１７ａ及び１７ｂは、載置部材１１に対し下方への移動に抗する力を付与して支持する。表示装置３０は、上下方向に移動する載置部材１１の変位に基づき段ボール箱５内の廃棄物の蓄積量を表示する。【選択図】図３
2013173589.tif 000002
【特許請求の範囲】
【請求項１】
廃棄物を蓄積するための廃棄物ボックスであって、
廃棄物を投入する投入口及び投入された廃棄物を取り出す取出口を有する筐体と、
前記筐体内に設けられ、投入された廃棄物を受け入れる容器を支持する支持台と、
前記容器内の廃棄物の蓄積量を表示する表示装置と、
前記支持台に設けられた弾性部材と
を備え、
前記支持台は、
前記容器がその上に載置される載置部材と、
前記載置部材を支持するベース部材と、
前記ベース部材に前記載置部材を上下方向に移動可能に連結するリンク部材とを有し、
前記弾性部材は、前記載置部材に対し下方への移動に抗する力を付与して支持し、
前記表示装置は、上下方向に移動する前記載置部材の変位に基づき前記容器内の廃棄物の蓄積量を表示する廃棄物ボックス。
【請求項２】
前記ベース部材は、少なくとも２つの前記弾性部材を介して前記載置部材を吊り下げる請求項１に記載の廃棄物ボックス。
【請求項３】
前記リンク部材は、少なくとも２つ設けられ、前記載置部材及び前記ベース部材に回動可能に連結され、上下方向に移動する前記載置部材の水平方向に対する姿勢を保持する請求項１または２に記載の廃棄物ボックス。
【請求項４】
前記表示装置は、
上下方向に移動する前記載置部材と共に移動する表示体を有し、
前記表示体の変位に基づき前記容器内の廃棄物の蓄積量を表示する請求項１〜３のいずれか一項に記載の廃棄物ボックス。
【発明の詳細な説明】
【技術分野】
【０００１】
この発明は、廃棄又はリサイクルすべき不要な書類等の廃棄物を、回収されるまでの間一時的に蓄積するための廃棄物ボックスに関する。
【背景技術】
【０００２】
例えば、オフィスなどで機密書類を廃棄する場合は、機密情報の漏洩を防ぐためにシュレッダーを用いて書類を破砕した後に、一般ゴミと同様に廃棄する方法が、従来から取られている。しかしながら、上記の方法では、シュレッダーの維持管理費用、シュレッダーに蓄積した破砕片を取り出す際に飛散する破砕片の清掃の手間等が必要となり、コストの上昇につながる。さらに、一般ゴミと同様に廃棄された破砕片は、そのまま焼却処分されることが多く、リサイクル率が低下する。
このため、施錠可能な扉を有するボックスをオフィスなどに設置しておき、回収業者によってボックス内の廃棄物を回収し、リサイクル工場にて処理するというサービスが行われている。
【０００３】
例えば、特許文献１には、回収されるまでの間一時的に機密書類などの廃棄物を蓄積するための回収ボックスが記載されている。この回収ボックスは、上部に書類などを投入するための開口部を有する箱状体を備えている。箱状体の前面には、施錠機構を有し且つ開閉可能な前面扉が設けられている。さらに、箱状体内では、底部に電子計量器が設けられ、電子計量器の上に開口部から投入された廃棄物を収容し蓄積するための回収袋が載置されている。回収ボックスでは、電子計量器が計測する回収袋の重量に基づき、回収袋内の廃棄物の蓄積程度が、箱状体に設けられた表示パネルのランプを使用して段階的に表示される。
【先行技術文献】
【特許文献】
【０００４】
【特許文献１】特開２００２−３０２２０６号公報
【発明の概要】
【発明が解決しようとする課題】
【０００５】
しかしながら、特許文献１の回収ボックスでは、廃棄物の蓄積量を判定するために電子計量器を使用しているため、コストが上昇するという問題がある。また、電子計量器は、衝撃を受けると計測結果に狂いが生じるおそれがあり、定期的なメンテナンスが必要となるため、このことによってもコストの上昇につながるという問題がある。
【０００６】
この発明はこのような問題点を解決するためになされたものであり、構造を簡易にすることによってコストの低減を図る回収ボックス（廃棄物ボックス）を提供することを目的とする。
【課題を解決するための手段】
【０００７】
上記の課題を解決するために、この発明に係る廃棄物ボックスは、廃棄物を蓄積するための廃棄物ボックスであって、廃棄物を投入するための投入口及び投入された廃棄物を取り出すための取出口を有する筐体と、筐体内に設けられ、投入された廃棄物を受け入れる容器を支持する支持台と、容器内の廃棄物の蓄積量を表示する表示装置と、支持台に設けられた弾性部材とを備え、支持台は、容器がその上に載置される載置部材と、載置部材を支持するベース部材と、ベース部材に載置部材を上下方向に移動可能に連結するリンク部材とを有し、弾性部材は、載置部材に対し下方への移動に抗する力を付与して支持し、表示装置は、上下方向に移動する載置部材の変位に基づき容器内の廃棄物の蓄積量を表示する。
【０００８】
ベース部材は、少なくとも２つの弾性部材を介して載置部材を吊り下げてもよい。
リンク部材は、少なくとも２つ設けられ、載置部材及びベース部材に回動可能に連結され、上下方向に移動する載置部材の水平方向に対する姿勢を保持してもよい。
表示装置は、上下方向に移動する載置部材と共に移動する表示体を有し、表示体の変位に基づき容器内の廃棄物の蓄積量を表示してもよい。
【発明の効果】
【０００９】
この発明に係る廃棄物ボックスによれば、構造を簡易にすることによってコストの低減が可能になる。
【図面の簡単な説明】
【００１０】
【図１】この発明の実施の形態１に係る廃棄物ボックスの全体構成を示す斜視図である。
【図２】図１の支持台の分解斜視図である。
【図３】図１のｙ−ｙ線及びｚ−ｚ線を含む断面を方向ＩＩＩから見た断面側面図である。
【図４】図３のＩＶ−ＩＶ線に沿った断面を示す模式図である。
【図５】廃棄物を蓄積した状態の図３の廃棄物ボックスを示す断面側面図である。
【図６】表示装置の構成及び動作を示す平面図である。
【図７】この発明の実施の形態２に係る廃棄物ボックスの構成を示す断面側面図である。
【発明を実施するための形態】
【００１１】
以下、この発明の実施の形態について添付図面に基づいて説明する。
実施の形態１．
まず、この発明の実施の形態１に係る廃棄物ボックス１０１の構成を説明する。
【００１２】
図１を参照すると、廃棄物ボックス１０１は、直方体状の筐体１を有している。筐体１の上部１ｂには、書類等の廃棄物を筐体１の内部に投入するための投入口１ｂａが設けられている。つまり、廃棄物ボックス１０１は、筐体１における投入口１ｂａが設けられている上部１ｂ側を重力方向で上方にして、設置される。
【００１３】
また、筐体１の側部のうちの１つである前方側の側部１ｄが開放されており、この側部１ｄには、筐体１内部の廃棄物の取出口を構成する開口部１ｄａが形成されている。さらに、筐体１の側部１ｄには、前面扉２が、開口部１ｄａを開放又は閉鎖するように回動可能に取り付けられている。そして、前面扉２が開口部１ｄａを閉鎖すると、筐体１の内部には、閉鎖された空間１ａが形成される。さらに、前面扉２には、施錠機構２ａが設けられている。施錠機構２ａは、図示しない鍵を使用して施錠又は施錠解除することができる。施錠機構２ａは、前面扉２が開口部１ｄａを閉鎖している状態で施錠することによって、前面扉２の開放を不可能にし、施錠が解除されると前面扉２の開放を可能にする。
ここで、筐体１における上部１ｂに対向する底部１ｃから上部１ｂに向かう方向を上方と呼び、上部１ｂから底部１ｃに向かう方向を下方と呼ぶ。さらに、筐体１における側部１ｄに対向する側部１ｅから側部１ｄに向かう方向を前方と呼び、側部１ｄから側部１ｅに向かう方向を後方と呼ぶ。
【００１４】
また、筐体１の底部１ｃの外部の四隅には、設置面上で廃棄物ボックス１０１を支持するための支持足１ｃａが設けられている。支持足１ｃａは、筐体１の底部１ｃから延びる軸部を中心に回転させることによって、底部１ｃから伸縮することができる。
さらに、筐体１の底部１ｃの外部には、各支持足１ｃａに隣接して、車輪を備える移動用ローラ１ｃｂが設けられている。
【００１５】
よって、各支持足１ｃａを縮めることによって、各移動用ローラ１ｃｂの車輪のみが廃棄物ボックス１０１の設置面に当接するようになると、廃棄物ボックス１０１は、移動用ローラ１ｃｂの車輪を回転させつつ、設置面上を移動させることができる。また、各支持足１ｃａを伸長させて、支持足１ｃａが設置面に当接するようになると、廃棄物ボックス１０１は、設置面上で容易に移動させることができないように固定される。
【００１６】
また、筐体１内における底部１ｃ上には、支持台１０が設けられ、底部１ｃに固定されている。支持台１０は、底部１ｃから投入口１ｂａへ向かう上方又はその反対方向の下方に伸縮可能であるように構成されている。さらに、支持台１０は、その上部に図示しない直方体状をした段ボール製の箱５（図３参照）が載置され、段ボール箱５を支持する。段ボール箱５は、上部が開閉可能に構成されており、この上部を投入口１ｂａ側にして上部を開放した状態で支持台１０の上に載置される。よって、段ボール箱５は、投入口１ｂａから投入された廃棄物を受け入れ蓄積する容器を構成している。
【００１７】
また、支持台１０において伸縮時に上下方向に移動する部位であるアーム材うち、紙面上で奥行き方向となる筐体１の側部１ｇ（側部１ｄ及び側部１ｅに隣接する側部）側に延びるアーム材１１ｈには、ケーブル２０の一方の端部が連結されている。さらに、ケーブル２０の他方の端部は、筐体１の上部１ｂに設けられた表示装置３０に連結されている。表示装置３０は、筐体１の上部１ｂに、段ボール箱５（図３参照）内に蓄積された廃棄物量を表示するための表示窓３１を有している。
よって、段ボール箱５に蓄積された廃棄物量の増大に伴って、支持台１０は、下方に向かって収縮し、それによって、下方に移動するアーム材１１ｈがケーブル２０を引張する。このとき、ケーブル２０は、表示装置３０内の部材に引張力を加えて移動させ、それによって、表示窓３１には、蓄積量を表す表示が機械的に示されるようになっている。
【００１８】
次に、支持台１０の分解斜視図を示す図２と、廃棄物ボックス１０１の断面側面図を示す図３及び図４とをあわせて参照して、支持台１０の詳細を説明する。
図３は、図１において、筐体１の上部１ｂから底部１ｃに向かう方向に延びるｚ−ｚ線と、筐体１の前方側の側部１ｄから後方側の側部１ｅに向かう方向に延びるｙ−ｙ線とを含み且つ筐体１の側部１ｄの中央を通る断面を、ｘ−ｘ線の方向である方向ＩＩＩから見た図を示している。なお、図１において、ｘ−ｘ線は、ｙ−ｙ線及びｚ−ｚ線と垂直に延びる線である。図４は、図３のＩＶ−ＩＶ線に沿った断面側面図である。
【００１９】
支持台１０は、段ボール箱５を載置するための載置部材１１と、筐体１の底部１ｃに固定されるベース部材１２と、載置部材１１をベース部材１２に連結する第一リンク部材１３及び第二リンク部材１４とを有している。さらに、支持台１０は、第一リンク部材１３を載置部材１１に回動可能に連結するリンク軸１５ａと、第一リンク部材１３をベース部材１２に回動可能に連結するリンク軸１５ｂと、第二リンク部材１４を載置部材１１に回動可能に連結するリンク軸１６ａと、第二リンク部材１４をベース部材１２に回動可能に連結するリンク軸１６ｂとを有している。リンク軸１５ａ、１５ｂ、１６ａ及び１６ｂのそれぞれの両端には、雄ねじが形成されている。
【００２０】
図２を中心に参照すると、ベース部材１２は、筐体１の底部１ｃに固定される矩形状の底板１２ｃと、底板１２ｃの両縁部近傍から上方に向かって延びる側板１２ａ及び１２ｂとを有している。側板１２ａ及び１２ｂは、筐体１の側部１ｄから側部１ｅに向かって（前方から後方に向かって）互いに対向して延びている。
側板１２ａ及び１２ｂはそれぞれ、低く形成された中央部１２ａａ及び１２ｂａと、中央部１２ａａ及び１２ｂａよりも上方に高く形成され且つ筐体１の側部１ｄ側（前方側）に位置する前方部１２ａｂ及び１２ｂｂと、中央部１２ａａ及び１２ｂａよりも上方に高く形成され且つ筐体１の側部１ｅ側（後方側）に位置する後方部１２ａｃ及び１２ｂｃとを含んでいる。前方部１２ａｂ及び１２ｂｂの間の幅は、中央部１２ａａ及び１２ｂａの間の幅、並びに、後方部１２ａｃ及び１２ｂｃの間の幅よりも大きくなっている。
さらに、側板１２ａ及び１２ｂは、底板１２ｃに固定された補強板１２ｄ及び１２ｅによって互いに連結され、剛性が高められている。そして、上述のように板材のみから形成されることによって、ベース部材１２は軽量化が図られている。
【００２１】
また、側板１２ａ及び１２ｂにおいて、中央部１２ａａ及び１２ｂａそれぞれの前方部１２ａｂ及び１２ｂｂ側には、リンク軸１５ｂを通すための第二貫通穴１２ａａ１及び１２ｂａ１が形成されている。さらに、後方部１２ａｃ及び１２ｂｃそれぞれの後方側の上端付近には、リンク軸１６ｂを通すための第四貫通穴１２ａｃ１及び１２ｂｃ１が形成されている。さらにまた、前方部１２ａｂ及び１２ｂｂそれぞれの前方側の上端付近には、第五貫通穴１２ａｂ１及び１２ｂｂ１が形成されている。
【００２２】
載置部材１１は、筐体１の側部１ｄから側部１ｅに向かって（前方から後方に向かって）互いに対向して延びる側板１１ａ及び１１ｂと、側板１１ａ及び１１ｂの間に設けられて側板１１ａ及び１１ｂを互いに連結するＬ形鋼状の連結材１１ｃ〜１１ｆと、側板１１ａから側板１１ｂと反対方向に延びる略Ｌ形断面をした第一アーム材１１ｇと、側板１１ｂから側板１１ａと反対方向に延びる略Ｌ形断面をした第二アーム材１１ｈとを含んでいる。つまり、第二アーム材１１ｈは、筐体１の側部１ｇに向かって突出し、第一アーム材１１ｇは、筐体１の側部１ｇと対向する側部１ｆ（図１参照）に向かって突出している。
なお、連結材１１ｃ〜１１ｆは、筐体１の側部１ｄから側部１ｅに向かってこの順序で配置されている。
さらに、側板１１ａ及び１１ｂ、連結材１１ｄ〜１１ｆ、第一アーム材１１ｇ、並びに第二アーム材１１ｈは、上部に段ボール箱５を安定した状態で載置できるように、上部が面一になるように形成されている。
【００２３】
また、側板１１ａ及び１１ｂはそれぞれ、筐体１の側部１ｄ側（前方側）に位置する前方部１１ａａ及び１１ｂａと、側部１ｅ側（後方側）に位置する後方部１１ａｂ及び１１ｂｂとを含んでいる。前方部１１ａａ及び１１ｂａはそれぞれ、後方部１１ａｂ及び１１ｂｂよりも下方に向かって突出するようにして延び、上下方向の高さが大きくなっている。さらに、後方部１１ａｂ及び１１ｂｂは、側部１ｅ側に向かって高さが次第に低くなる形状を有している。なお、第一アーム材１１ｇ及び第二アーム材１１ｈはそれぞれ、前方部１１ａａ及び１１ｂａに取り付けられている。
【００２４】
また、側板１１ａ及び１１ｂにおいて、前方部１１ａａ及び１１ｂａそれぞれには、前方側の下端付近に、リンク軸１５ａを通すための第一貫通穴１１ａａ１及び１１ｂａ１が形成されている。さらに、後方部１１ａｂ及び１１ｂｂそれぞれの中央付近には、リンク軸１６ａを通すための第三貫通穴１１ａｂ１及び１１ｂｂ１が形成されている。さらにまた、前方部１１ａａ及び１１ｂａそれぞれには、後方部１１ａｂ及び１１ｂｂ側の下端付近に、第六貫通穴１１ａａ２及び１１ｂａ２が形成されている。
そして、上述のように板材及びＬ形鋼状の材料のみから形成されることによって、載置部材１１は軽量化が図られている。
【００２５】
第一リンク部材１３及び第二リンク部材１４は、同様の構成を有している。
第二リンク部材１４は、筐体１の側部１ｄから側部１ｅに向かって（前方から後方に向かって）延びる矩形状の底板部１４ｃと、底板部１４ｃの両縁部から垂直に延び且つ筐体１の側部１ｄから側部１ｅに向かって延びる矩形状の側板部１４ａ及び１４ｂとを一体に有し、コの字状の断面を有している。側板部１４ａ及び１４ｂは、互いに対向して延びている。また、側板部１４ａ及び１４ｂは、底板部１４ｃに固定された補強板１４ｄ及び１４ｅによって互いに連結され、剛性が高められている。
また、第二リンク部材１４の側板部１４ａ及び１４ｂそれぞれにおいて、筐体１の側部１ｄ側（前方側）の端部付近に、リンク軸１６ａを通すための第三貫通穴１４ａ１及び１４ｂ１が形成されており、筐体１の側部１ｅ側（後方側）の端部付近に、リンク軸１６ｂを通すための第四貫通穴１４ａ２及び１４ｂ２が形成されている。
【００２６】
第一リンク部材１３も、第二リンク部材１４と同様に、矩形状の底板部１３ｃと、矩形状の側板部１３ａ及び１３ｂと、側板部１３ａ及び１３ｂを互いに連結する図示しない２つの補強板とを含んでいる。
また、第一リンク部材１３の側板部１３ａ及び１３ｂそれぞれにおいて、筐体１の側部１ｄ側（前方側）の端部付近に、リンク軸１５ａを通すための第一貫通穴１３ａ１及び１３ｂ１が形成されており、筐体１の側部１ｅ側（後方側）の端部付近に、リンク軸１５ｂを通すための第二貫通穴１３ａ２及び１３ｂ２が形成されている。
【００２７】
よって、載置部材１１の内側に第一リンク部材１３を配置し、リンク軸１５ａを、載置部材１１の側板１１ａ及び１１ｂの前方側にある第一貫通穴１１ａａ１及び１１ｂａ１と、第一リンク部材１３の前方側にある第一貫通穴１３ａ１及び１３ｂ１とに通し、両端をナット１８で載置部材１１に固定することによって、第一リンク部材１３が載置部材１１にリンク軸１５ａを中心に回動可能に連結される。
さらに、ベース部材１２の内側に第一リンク部材１３を配置し、リンク軸１５ｂを、ベース部材１２における側板１２ａの中央部１２ａａ及び側板１２ｂの中央部１２ｂａの前方側にある第二貫通穴１２ａａ１及び１２ｂａ１と、第一リンク部材１３の後方側にある第二貫通穴１３ａ２及び１３ｂ２とに通し、両端をナット１８でベース部材１２に固定することによって、第一リンク部材１３がベース部材１２にリンク軸１５ｂを中心に回動可能に連結される。
【００２８】
また、載置部材１１の内側に第二リンク部材１４を配置し、リンク軸１６ａを、載置部材１１の側板１１ａ及び１１ｂの後方側にある第三貫通穴１１ａｂ１及び１１ｂｂ１と、第二リンク部材１４の前方側にある第三貫通穴１４ａ１及び１４ｂ１とに通し、両端をナット１８で載置部材１１に固定することによって、第二リンク部材１４が載置部材１１にリンク軸１６ａを中心に回動可能に連結される。
さらに、ベース部材１２の内側に第二リンク部材１４を配置し、リンク軸１６ｂを、ベース部材１２の側板１２ａ及び１２ｂの後方側にある第四貫通穴１２ａｃ１及び１２ｂｃ１と、第二リンク部材１４の後方側にある第四貫通穴１４ａ２及び１４ｂ２とに通し、両端をナット１８でベース部材１２に固定することによって、第二リンク部材１４がベース部材１２にリンク軸１６ｂを中心に回動可能に連結される。
【００２９】
よって、第一リンク部材１３及び第二リンク部材１４は、ベース部材１２の前後方向両端付近で第二リンク部材１４の方が高くなるように上下方向に位置をずらして配置され、互いに平行に延在するように載置部材１１に固定されている（図３参照）。そして、載置部材１１は、第一リンク部材１３及び第二リンク部材１４によって案内されつつ上下方向に移動することができる。さらに、第一リンク部材１３及び第二リンク部材１４は、載置部材１１が上下方向に移動するとき、載置部材１１の上部が筐体１の底部１ｃ及びベース部材１２の底板１２ｃと平行な状態を維持する、つまり水平方向に対する姿勢を維持するように構成されている。
【００３０】
また、ベース部材１２の側板１２ａの内側（側板１２ｂ側）には、コイルバネからなる弾性部材１７ａが設けられている。弾性部材１７ａの一方の端部（上端）は、筒状のスリーブ１９ｂと連結され、スリーブ１９ｂは、ボルト及びナット（図示しない）からなる締結部材１９ａによって、側板１２ａの前方部１２ａｂに形成された第五貫通穴１２ａｂ１に固定される。さらに、弾性部材１７ａの他方の端部（下端）は、筒状のスリーブ１９ｃと連結され、スリーブ１９ｃは、ボルトからなる締結部材１９ｄによって、載置部材１１の側板１１ａの前方部１１ａａに形成された第六貫通穴１１ａａ２に固定される。
よって、弾性部材１７ａは、載置部材１１とベース部材１２の側板１２ａの前方部１２ａｂとの間に位置し、さらに、第一リンク部材１３及び第二リンク部材１４の間で、ベース部材１２の側板１２ａの前方部１２ａｂの上端付近から載置部材１１の下端付近を吊り下げて支持している。
【００３１】
また、ベース部材１２の側板１２ｂの内側（側板１２ａ側）には、コイルバネからなる弾性部材１７ｂが設けられている。弾性部材１７ｂの一方の端部（上端）は、スリーブ１９ｂと連結され、スリーブ１９ｂは、締結部材１９ａによって、側板１２ｂの前方部１２ｂｂに形成された第五貫通穴１２ｂｂ１に固定される。さらに、弾性部材１７ｂの他方の端部（下端）は、スリーブ１９ｃと連結され、スリーブ１９ｃは、締結部材１９ｄによって、載置部材１１の側板１１ｂの前方部１１ｂａに形成された第六貫通穴１１ｂａ２に固定される。
【００３２】
よって、弾性部材１７ｂは、載置部材１１とベース部材１２の側板１２ｂの前方部１２ｂｂとの間に位置し、さらに、第一リンク部材１３及び第二リンク部材１４の間で、ベース部材１２の側板１２ｂの前方部１２ｂｂの上端付近から載置部材１１の下端付近を吊り下げて支持している。
なお、上述の構成を有する弾性部材１７ａ及び１７ｂは、コイルバネに限定されるものでなく、空気バネ、液体バネ、ゴム等の少なくとも一方向に弾性を有するものとしてもよい。
【００３３】
また、本実施の形態１では、弾性部材１７ａ及び１７ｂは、均等に吊り下げるために載置部材１１の釣り合いがとれる位置で載置部材１１を吊り下げている。例えば、上記の位置は、載置部材１１の重心としてもよい。
さらに、載置部材１１において側板１１ａ及び１１ｂの前方部１１ａａ及び１１ｂａの高さが大きくなっており、この下端付近に弾性部材１７ａ及び１７ｂの下端が固定されている。このため、図５に示すように、載置部材１１がその最下点まで下降した場合（本実施の形態１では、載置部材１１が筐体１の底部１ｃに当接している）、伸長時の弾性部材１７ａ及び１７ｂのスペースを確保しつつ、ベース部材１２の側板１２ａ及び１２ｂの前方部１２ａｂ及び１２ｂｂと、弾性部材１７ａ及び１７ｂとが、載置部材１１よりも上方に突出しないようになっている。これにより、段ボール箱５は、安定して載置された状態を維持する。
【００３４】
また、載置部材１１の第二アーム材１１ｈの先端には、上方に向かって突出するリブ１１ｈａが一体に形成されている。さらに、リブ１１ｈａには、ケーブル２０の一方の端部が連結されている。また、ケーブル２０の他方の端部は、表示装置３０に連結されている。
【００３５】
ここで、図６を参照して、表示装置３０の詳細を説明する。
ケーブル２０は、外装管２０ｂと、外装管２０ｂの中を通るワイヤ２０ａとによって構成されており、ワイヤ２０ａは外装管２０ｂ内を摺動することができる。
外装管２０ｂの一方の端部は、筐体１の側部１ｇから延びる固定金具３５に固定されており、ワイヤ２０ａの一方の端部は、外装管２０ｂの外部に延びている。
なお、外装管２０ｂの他方の端部は、筐体１の側部１ｇに固定された固定金具２１（図３参照）に固定され、ワイヤ２０ａの他方の端部が支持台１０の第二アーム材１１ｈのリブ１１ｈａ（図３参照）に連結されている。よって、第二アーム材１１ｈが下方に移動してワイヤ２０ａを引っ張ると、ワイヤ２０ａは外装管２０ｂ内を摺動する。ここで、ワイヤ２０ａは、連結部材を構成している。
【００３６】
表示装置３０は、筐体１の内部において、紙面上で手前側に位置する筐体１の上部１ｂ（図１参照）及び表示窓３１の背面側に、略扇形状の形状をした表示板３２を有している。
表示板３２において、扇形の広がった円弧状の外周と反対側の狭くなった中心側には、２つの軸３３及び３４が回転自在に取り付けられ、軸３３及び３４は、表示板３２の円弧状の外周に沿う方向に並べて配置されている。
【００３７】
軸３３は、表示板３２の平坦な表面から筐体１の上部１ｂ（図１参照）側に突出し、上部１ｂに固定されている。これにより、表示板３２は、軸３３を中心として回動することができる。
軸３４は、表示板３２の平坦な両表面から突出し、筐体１の上部１ｂと反対側の表示板３２の背面側では、ワイヤ２０ａと連結されている。また、軸３４は、筐体１の上部１ｂ側では、コイルバネ３６の一方の端部と連結されている。コイルバネ３６の他方の端部は、筐体１の上部１ｂに固定された支持金具３７に固定されている。
【００３８】
さらに、筐体１の上部１ｂ（図１参照）からストッパ３８が突出している。ストッパ３８は、表示板３２が軸３３を中心として紙面上で反時計回りである方向Ｑに回動したとき、表示板３２の側部に当接し、表示板３２のさらなる回動を阻止する。
また、軸３３及び３４は、表示板３２の外周を方向Ｑに沿う方向で、この順序で並べて配置されている。
よって、表示板３２は、ワイヤ２０ａにコイルバネ３６と反対方向への引張力が作用しないとき、コイルバネ３６によって軸３４が引っ張られて軸３３を中心に方向Ｑに回動し、ストッパ３８に当接して静止する。つまり、表示板３２は、状態Ａを維持する。
【００３９】
なお、筐体１の上部１ｂ（図１参照）側の表示板３２の表面における扇形の広がった円弧状の外周側の領域は、白色に塗られた領域Ｗと赤色に塗られた領域Ｒ（紙面上で格子状のハッチで示す領域）との２つの領域に色分けされている。白色領域Ｗと赤色領域Ｒとは、表示板３２の外周を方向Ｑに沿って、この順序で並べて配置されている。ここで、表示板３２は、表示体を構成している。
そして、状態Ａのとき、透明な表示窓３１からは、表示板３２の白色領域Ｗのみが見える。
【００４０】
また、ワイヤ２０ａにコイルバネ３６と反対方向への引張力が作用すると、この引張力は、コイルバネ３６の付勢力に抗して軸３４を固定金具３５に向かって引き付け、表示板３２を軸３３を中心に紙面上で時計回りである方向Ｐに回動させる。それにより、表示窓３１からは、表示板３２の赤色領域Ｒの一部が見え始め（状態Ｂ）、さらに、表示板３２が回動することによって、赤色領域Ｒのみしか見えなくなる（状態Ｃ）。
【００４１】
次に、この発明の実施の形態１に係る廃棄物ボックス１０１の動作を説明する。
図１、図３及び図４をあわせて参照すると、書類等の廃棄物は、投入口１ｂａから廃棄物ボックス１０１の筐体１の内部に投入される。投入された廃棄物は、筐体１内の支持台１０上に配置されている段ボール箱５内に落下する。
【００４２】
段ボール箱５内に廃棄物が投入されていない状態では、支持台１０の載置部材１１に作用する上載荷重は段ボール箱５の重量のみである。このとき、ベース部材１２に支持され載置部材１１を吊り下げている弾性部材１７ａ及び１７ｂに対して、載置部材１１を介して作用する下方への引張荷重が低いため、弾性部材１７ａ及び１７ｂは、収縮した状態を維持し、載置部材１１を上方へ吊り上げた状態に保つ。そして、載置部材１１の第二アーム材１１ｈに連結されたケーブル２０内のワイヤ２０ａには、引張力が作用していない。
【００４３】
図６を参照すると、ワイヤ２０ａを介して引張力を受けない表示装置３０の表示板３２は、コイルバネ３６によって方向Ｑへ回動する力を受け、状態Ａに示すように、ストッパ３８に当接した状態となる。このとき、表示窓３１からは、表示板３２の白色領域Ｗのみが見える。よって、廃棄物ボックス１０１の使用者は、廃棄物ボックス１０１内に廃棄物が蓄積されていないと認知できる。
【００４４】
図３及び図４に戻り、段ボール箱５内に蓄積される廃棄物量が増えるに従って、載置部材１１に作用する廃棄物による上載荷重が増大するため、弾性部材１７ａ及び１７ｂに作用する下方への引張荷重が増大する。これにより、弾性部材１７ａ及び１７ｂは伸長し、載置部材１１が、第一リンク部材１３及び第二リンク部材１４に案内されて下方に略平行に移動する。
このとき、載置部材１１は、第二アーム材１１ｈを介してケーブル２０内のワイヤ２０ａを引っ張り、その軸方向に摺動（変位）させる。
【００４５】
図６を参照すると、ワイヤ２０ａは、下降する載置部材１１と共に摺動（変位）することによって、コイルバネ３６を引き延ばしながら、表示装置３０の表示板３２の軸３４を固定金具３５に向かって引き付け、表示板３２を軸３３を中心に方向Ｐに回動させる。そして、段ボール箱５内に蓄積される廃棄物量が増えるほど、表示板３２の回動量が大きくなる。
よって、表示窓３１では、段ボール箱５内の廃棄物量の増加に伴って、表示板３２の赤色領域Ｒが見えるようになり、さらに、見える赤色領域Ｒの面積が次第に大きくなる。つまり、表示窓３１から見える赤色領域Ｒの状態は、図６の状態Ａから、表示窓３１の一部に赤色領域Ｒが見える状態Ｂ、さらには、表示窓３１の全体が赤色領域Ｒである状態Ｃに推移する。そして、状態Ｃは、予め設定された上限量の廃棄物が段ボール箱５内に蓄積されていることを意味する。従って、廃棄物ボックス１０１の使用者は、表示窓３１から見える赤色領域Ｒの大きさから、廃棄物ボックス１０１内に蓄積されている廃棄物量を認知することができる。
【００４６】
なお、本実施の形態１における図６の状態Ｃは、廃棄物ボックス１０１の支持台１０が図５に示す状態となっている場合を示す。つまり、状態Ｃでは、支持台１０の載置部材１１が下降して筐体１の底部１ｃに当接した状態となっている。しかしながら、載置部材１１が底部１ｃに接触する前の状態を、状態Ｃとしてもよい。
【００４７】
そして、図１及び図３をあわせて参照すると、使用者は、表示窓３１の状態から廃棄物ボックス１０１内に蓄積されている廃棄物量が上限量（満杯状態）であると判断すると、回収業者に廃棄物の回収を依頼する。回収業者は、廃棄物ボックス１０１の施錠機構２ａを解除して前面扉２を開放し、内部の段ボール箱５を廃棄物と共に取り出して、代わりの新しい段ボール箱５を廃棄物ボックス１０１内の支持台１０上に設置し、再び前面扉２を閉鎖して施錠する。さらに、回収業者は、回収した段ボール箱５を封印し、処理工場等で処理する。
新しい段ボール箱５が載置された支持台１０では、廃棄物による上載荷重がなくなるため、弾性部材１７ａ及び１７ｂが載置部材１１を引き上げ、図３に示す状態に戻る。さらに、表示窓３１では、図６の状態Ａに示す状態に戻る。
【００４８】
このように、この発明に係る廃棄物ボックス１０１は、廃棄物を蓄積するためのものであり、廃棄物を投入するための投入口１ｂａ及び投入された廃棄物を取り出すための取出口である開口部１ｄａを有する筐体１と、筐体１内に設けられ且つ投入された廃棄物を受け入れる容器である段ボール箱５を支持する支持台１０と、段ボール箱５内の廃棄物の蓄積量を表示する表示装置３０と、支持台１０に設けられた弾性部材１７ａ及び１７ｂとを備える。支持台１０は、段ボール箱５がその上に載置される載置部材１１と、載置部材１１を支持するベース部材１２と、ベース部材１２に載置部材１１を上下方向に移動可能に連結するリンク部材１３及び１４とを有する。さらに、弾性部材１７ａ及び１７ｂは、載置部材１１に対し下方への移動に抗する力を付与して支持する。そして、表示装置３０は、上下方向に移動する載置部材１１の変位に基づき段ボール箱５内の廃棄物の蓄積量を表示する。
【００４９】
このとき、筐体１内の段ボール箱５に廃棄物が蓄積されると、支持台１０の載置部材１１への上載荷重が増加するため、載置部材１１が弾性部材１７ａ及び１７ｂの弾性力に抗して下方に移動し変位する。さらに、載置部材１１の変位量は、載置部材１１の上載荷重に対応し、上載荷重が大きくなるほど大きくなる。このため、表示装置３０は、載置部材１１の変位に基づき段ボール箱５内の廃棄物の蓄積量を表示する構成とすることができる。そして、支持台１０は、載置部材１１、ベース部材１２、並びにリンク部材１３及び１４によって、機械式に動作する簡易な構成で形成される。また、表示装置３０の構成も、上下方向に移動する載置部材１１の変位を、段ボール箱５内の廃棄物の蓄積量に変換する簡易な構成でよい。従って、廃棄物ボックス１０１は、その構造を簡易なものとしコストの低減を可能にする。さらに、表示装置３０を機械式にすれば、廃棄物ボックス１０１は、すべてが機械式に動作するため、電源を必要とせず、設置場所の制限を受けない。
【００５０】
また、廃棄物ボックス１０１では、ベース部材１２は、２つの弾性部材１７ａ及び１７ｂを介して載置部材１１を吊り下げている。２つ以上の弾性部材１７ａ及び１７ｂを使用することによって、弾性部材から載置部材１１に作用する力を均等に分布させることができる。さらに、弾性部材１７ａ及び１７ｂを介して載置部材１１を吊り下げることによって、載置部材１１の上下の移動方向が、鉛直方向から傾斜していても、弾性部材１７ａ及び１７ｂの力を載置部材１１に安定して作用させることができる。
【００５１】
また、廃棄物ボックス１０１において、少なくとも２つのリンク部材１３及び１４が設けられ、リンク部材１３及び１４は、載置部材１１及びベース部材１２に回動可能に連結され、上下方向に移動する載置部材１１の水平方向に対する姿勢を保持する。これによって、載置部材１１が上下方向に移動しても、その上に載置された段ボール箱５の姿勢は変化しない。従って、段ボール箱５内の廃棄物が偏ってこぼれ落ちたり、前面扉２の開放時に段ボール箱５が載置部材１１から滑り落ちることを防ぐことができる。
また、廃棄物ボックス１０１において、表示装置３０は、上下方向に移動する載置部材１１と共に移動する表示板３２を有し、表示板３２の変位（回転変位）に基づき段ボール箱５の廃棄物の蓄積量を示す。これによって、表示装置３０は、載置部材１１が移動すると表示板３２が移動するだけの構成でよいため、機械式に動作する簡易な構成とすることができる。さらに、機械式に動作する表示装置３０は、電源を必要としない。
【００５２】
実施の形態２．
この発明の実施の形態２に係る廃棄物ボックス２０１は、実施の形態１の廃棄物ボックス１０１において、載置部材１１を吊り下げていた弾性部材１７ａ及び１７ｂを、載置部材１１をその上に載せて下部から支持する弾性部材としたものである。
なお、以下の実施の形態において、前出した図における参照符号と同一の符号は、同一または同様な構成要素であるので、その詳細な説明は省略する。
【００５３】
図７を参照すると、この発明の実施の形態２に係る廃棄物ボックス２０１は、支持台１０のベース部材２１２と、弾性部材２１７とを除き、実施の形態１の廃棄物ボックス１０１と実質的に同じ構成を有している。
廃棄物ボックス２０１のベース部材２１２は、実施の形態１の廃棄物ボックス１０１のベース部材１２における側板１２ａ及び１２ｂから前方部１２ａｂ及び１２ｂｂを取り除いたものである。
【００５４】
また、廃棄物ボックス２０１の弾性部材２１７は、筐体１の底部１ｃ上に設けられ、支持台１０の載置部材１１の下方における前面扉２側に配置されている。
弾性部材２１７は、底部１ｃに固定された支持板２１７ａと、支持板２１７ａから載置部材１１に向かって延びる伸縮可能な支持軸２１７ｂと、支持軸２１７ｂの載置部材１１側の端部に取り付けられた受板２１７ｃと、支持軸２１７ｂの周りを囲むようにして受板２１７ｃ及び支持板２１７ａの間に設けられたコイルバネ２１７ｄとを有している。コイルバネ２１７ｄは、受板２１７ｃを載置部材１１に向かって付勢して載置部材１１の連結材１１ｃ（図２参照）に当接させ、載置部材１１の荷重を支持している。
そして、弾性部材２１７は、段ボール箱５内に廃棄物が存在しないとき、載置部材１１を上方へ押し上げている。
【００５５】
また、段ボール箱５内に廃棄物が投入されその蓄積量が増加すると、廃棄物により増加する載置部材１１への上載荷重によって、弾性部材２１７のコイルバネ２１７ｄが受板２１７ｃ及び支持軸２１７ｂと共に押し下げられて収縮し、載置部材１１が下降する。それにより、ケーブル２０のワイヤ２０ａを介して表示装置３０が動作され、表示窓３１の表示が変化する。
また、この発明の実施の形態２に係る廃棄物ボックス２０１のその他の構成及び動作は、実施の形態１と同様であるため、説明を省略する。
このように、実施の形態２における廃棄物ボックス２０１によれば、上記実施の形態１の廃棄物ボックス１０１と同様な効果が得られる。
【００５６】
また、実施の形態１及び２の廃棄物ボックス１０１及び２０１において、支持台１０では、２つのリンク部材１３及び１４によってベース部材１２及び２１２が載置部材１１を支持していたが、これに限定されるものでなく、リンク部材は、１つであっても３つ以上であってもよい。
また、実施の形態１の廃棄物ボックス１０１において、支持台１０には２つの弾性部材１７ａ及び１７ｂが設けられていたが、これに限定されるものでなく、弾性部材は、１つであっても３つ以上であってもよい。さらに、実施の形態２の廃棄物ボックス２０１において、弾性部材は、２つ以上であってもよい。
【００５７】
また、実施の形態１及び２の廃棄物ボックス１０１及び２０１において、支持台１０の載置部材１１の第二アーム材１１ｈと表示装置３０の表示板３２とを連結する部材として、ワイヤが用いられていたが、これに限定されるものでなく、ピアノ線、ロッド等であってもよい。例えば、ロッドを使用する場合、複数のロッドを使用して第二アーム材１１ｈと表示板３２とを連結してもよい。この場合、ロッド同士をラック・アンド・ピニオン構造で連結してもよい。
【符号の説明】
【００５８】
１  筐体、１ｂａ  投入口、１ｄａ  開口部（取出口）、５  段ボール箱（容器）、１０  支持台、１１  載置部材、１２，２１２  ベース部材、１３  第一リンク部材、１４  第二リンク部材、１７ａ，１７ｂ，２１７  弾性部材、３０  表示装置、３２  表示板（表示体）、１０１，２０１  廃棄物ボックス。
【図１】
2013173589.tif 000003
【図２】
2013173589.tif 000004
【図３】
2013173589.tif 000005
【図４】
2013173589.tif 000006
【図５】
2013173589.tif 000007
【図６】
2013173589.tif 000008
【図７】
2013173589.tif 000009